(57)【要約】  放射線画像撮影装置でコンソールによる制御を受けずに撮影を行う場合でも、人為的ミスが生じる可能性を的確に低減することが可能な放射線画像撮影装置を提供する。  放射線画像撮影装置１の制御手段２２は、装置の撮影モードを、画像データＤの生成処理を行うことが可能な撮影可能モードと、画像データＤの生成処理を行うことができない撮影不可モードとの間で切り替え可能とされており、患者情報と撮影部位情報のうちの少なくとも１つの情報が入力されると、撮影不可モードとされていた装置の撮影モードを撮影可能モードに切り替え、撮影可能モードで行われた撮影で生成した画像データＤに情報を付帯させて記憶手段２３に記憶させた後、装置の撮影モードを撮影可能モードから撮影不可モードに切り替える。
2016208229.tif 000002
【特許請求の範囲】
【請求項１】
二次元状に配列され、照射された放射線の線量に応じた電荷を発生させる複数の放射線検出素子と、
前記各放射線検出素子から前記電荷を読み出して画像データを生成する画像データの生成処理を行うように制御する制御手段と、
前記画像データを記憶する記憶手段と、
を備える放射線画像撮影装置において、
前記制御手段は、
撮影モードを、前記画像データの生成処理を行うことが可能な撮影可能モードと、前記画像データの生成処理を行うことができない撮影不可モードとの間で切り替え可能とされており、
患者情報と撮影部位情報のうちの少なくとも１つの情報が入力されると、前記撮影不可モードとされていた前記撮影モードを前記撮影可能モードに切り替え、前記撮影可能モードで行われた撮影で生成した前記画像データに前記情報を付帯させて前記記憶手段に記憶させた後、前記撮影モードを前記撮影可能モードから前記撮影不可モードに切り替えることを特徴とする放射線画像撮影装置。
【請求項２】
前記制御手段は、非連携方式で撮影が行われる場合、前記情報が入力されて前記撮影不可モードとされていた前記撮影モードを前記撮影可能モードに切り替えると、放射線の照射開始を検出する処理を開始することを特徴とする請求項１に記載の放射線画像撮影装置。
【請求項３】
前記制御手段は、前記画像データの生成処理を行っていないにもかかわらず、連続して前記情報が入力された場合は、連続して前記情報の入力があったことを警告することを特徴とする請求項１または請求項２に記載の放射線画像撮影装置。
【請求項４】
前記制御手段は、前記記憶手段に記憶された前記画像データの枚数が、前記記憶手段に記憶可能な枚数の上限に達している場合には、前記情報の入力を受け付けず、前記撮影モードを前記撮影不可モードのままとするように構成されていることを特徴とする請求項１から請求項３のいずれか一項に記載の放射線画像撮影装置。
【請求項５】
前記制御手段は、同一の患者に対して複数の撮影部位の撮影を行う旨の指示があった場合には、
前記情報が入力されて前記撮影モードを前記撮影不可モードから前記撮影可能モードに切り替えた後は、前記撮影モードを前記撮影可能モードから前記撮影不可モードに切り替えずに前記撮影可能モードのままとするとともに、
前記撮影可能モードである間に行われた撮影で前記画像データを生成するごとに、当該画像データに、当該画像データが生成される直前に入力された前記撮影部位情報を付帯させて前記記憶手段に記憶させることを特徴とする請求項１から請求項４のいずれか一項に記載の放射線画像撮影装置。
【請求項６】
前記制御手段は、異なる患者に対して１回ずつ撮影を行う旨の指示があった場合には、
前記情報が入力されて前記撮影モードを前記撮影不可モードから前記撮影可能モードに切り替えた後は、前記撮影モードを前記撮影可能モードから前記撮影不可モードに切り替えずに前記撮影可能モードのままとするとともに、
前記撮影可能モードである間に行われた撮影で前記画像データを生成するごとに、当該画像データに、当該画像データが生成される直前に入力された前記患者情報を付帯させて前記記憶手段に記憶させることを特徴とする請求項１から請求項５のいずれか一項に記載の放射線画像撮影装置。
【請求項７】
請求項１から請求項６のいずれか一項に記載の放射線画像撮影装置と、
前記患者情報と前記撮影部位情報のうちの少なくとも１つの前記情報を前記放射線画像撮影装置に入力する入力手段と、
前記放射線画像撮影装置に放射線を照射する放射線照射装置と、
を備えることを特徴とする放射線画像撮影システム。
【請求項８】
前記情報は、照射録に表示されているバーコードまたは２次元コードに書き込まれており、
前記入力手段は、前記バーコードまたは前記２次元コードを読み取り、前記バーコードまたは前記２次元コードに書き込まれている前記情報を前記放射線画像撮影装置に送信することが可能な装置であることを特徴とする請求項７に記載の放射線画像撮影システム。
【請求項９】
請求項１から請求項６のいずれか一項に記載の放射線画像撮影装置と、
前記放射線画像撮影装置から送信された前記画像データに基づいて放射線画像を生成するコンソールと、
を備え、
前記放射線画像撮影装置は、前記画像データに前記情報を付帯させて前記コンソールに送信し、
前記コンソールは、生成した前記放射線画像に、当該放射線画像の基となった前記画像データに付帯されていた前記情報に対応する撮影オーダー情報を対応付けることを特徴とする放射線画像撮影システム。
【発明の詳細な説明】
【技術分野】
【０００１】
本発明は、放射線画像撮影装置および放射線画像撮影システムに関する。
【背景技術】
【０００２】
近年、放射線検出素子を二次元状に配列し、放射線照射装置から照射され被写体を透過した放射線に応じて放射線検出素子内で発生した電荷を画像データとして読み取る放射線画像撮影装置（Flat Panel Detector）が種々開発されており、病院等の施設で撮影に用いられている。また、近年、放射線検出素子等が形成されたセンサーパネル等を筐体内に収納し、持ち運び可能とした可搬型の放射線画像撮影装置が開発され、実用化されている。【０００３】
このような可搬型の放射線画像撮影装置は、現状では、通常、コンピューター等で構成されるコンソールによる撮影制御の下で動作を行うように構成される。すなわち、コンソールは、放射線画像撮影装置を起動させたり、放射線画像撮影装置の電力消費状態（いわゆる省電力状態（sleep状態等ともいう。）や撮影可能状態（wake up状態等ともいう。））を切り替えたり、放射線画像撮影装置から画像データ等を撮影ごとに送信させたり、或いは、生成した放射線画像と、その放射線画像の撮影に対する指示内容が記載された撮影オーダー情報との対応付け（紐付け等ともいう。）等の各処理を行うように構成される（例えば特許文献１等参照）。【０００４】
そして、このように、放射線画像撮影装置の動作をコンソールが制御するように構成する場合、通常、コンソールから放射線画像撮影装置にこれから行う各撮影に関する撮影オーダー情報等の情報を送信し、放射線画像撮影装置は、それらの情報に従って順番に撮影を行うように制御される。そして、撮影した順番に放射線画像撮影装置からコンソールに画像データが送信される。【０００５】
そのため、上記のように放射線画像と撮影オーダー情報とを対応付ける際、コンソールは、放射線画像撮影装置から送信されてきた画像データ等に基づいて生成した放射線画像を、順番に撮影オーダー情報と対応付けていけばよく、このように構成すれば、放射線画像をそれに対応しない撮影オーダー情報に対応付けてしまう等の事態が生じることなく、放射線画像と撮影オーダー情報とを対応付けることが可能となる。【０００６】
一方、近年、例えば特許文献２に記載されているように、コンソールによる制御を受けない状態で放射線画像撮影装置を用いて撮影を行い、撮影された画像データは放射線画像撮影装置内の記憶手段に記憶しておくタイプの放射線画像撮影装置が知られている。そして、このように構成する場合は、放射線画像撮影装置にケーブルを接続したり、或いは放射線画像撮影装置から記憶手段を取り外してコンソールに接続することで、撮影された画像データを放射線画像撮影装置からコンソールに送信するように構成することができる。【０００７】
そして、このように放射線画像撮影装置でコンソールによる制御を受けずに撮影を行うように構成される場合、放射線技師等の操作者は、撮影オーダー情報等による制約を受けずに自由に撮影を行うことが可能となる。しかし、その反面、撮影された画像データ等に基づいて生成された放射線画像と撮影オーダー情報との対応付けを、コンソール上で自ら行わなくてはならなくなる。【０００８】
そして、放射線画像と撮影オーダー情報との対応付けを放射技師等の操作者が行う場合には、放射線画像をそれに対応しない撮影オーダー情報と対応付けてしまったり、或いは、放射線画像をどの撮影オーダー情報に対応付ければよいかが分からなくなってしまう等の問題が生じ得る。【０００９】
そのため、例えば、放射線画像撮影装置が、内蔵された記憶手段に画像データを記憶した番号（すなわち何番目の撮影か）を表示するように構成し（なお、付帯情報としてその番号が画像データのヘッダー等に書き込まれる。）、放射線技師等の操作者がその番号を見て、当該撮影に対応する照射録にその番号をメモしたり、或いは（照射録がない場合等には）患者や撮影部位と番号とを対応付けてメモする等して記録しておき、画像データ等に基づいて生成された放射線画像（ヘッダー等に上記の番号が書き込まれている。）に付帯されている番号とメモ等に基づいて、放射線画像と、事前或いは事後に作成された撮影オーダー情報とを対応付けるように構成される場合がある。
【先行技術文献】
【特許文献】
【００１０】
【特許文献１】国際公開第２０１１／１４２１５７号パンフレット
【特許文献２】特開２０１０−１３７０５９号公報
【発明の概要】
【発明が解決しようとする課題】
【００１１】
しかしながら、このように構成しても、放射線技師等の操作者が、放射線画像撮影装置に表示された番号を見たり、その番号をメモしたり、患者や撮影部位と番号とを対応付けたりしなければならず、人（操作者）が行う手順が多くなるため、人為的ミス（ヒューマンエラー）が生じる可能性はあまり低減されない。【００１２】
そして、放射線画像がそれに対応しない撮影オーダー情報と対応付けられてしまうと、例えば、本来その患者が有していないはずの傷病等をその患者が有しているように誤診されてしまったり、逆に、本来その患者が有しているはずの傷病等がなくなった（治った）と誤診されてしまったりする等の誤診断につながる虞れがある。【００１３】
本発明は、上記の問題点を鑑みてなされたものであり、放射線画像撮影装置でコンソールによる制御を受けずに撮影を行う場合でも、人為的ミスが生じる可能性を的確に低減することが可能な放射線画像撮影装置および放射線画像撮影システムを提供することを目的とする。
【課題を解決するための手段】
【００１４】
前記の問題を解決するために、本発明の放射線画像撮影装置は、
二次元状に配列され、照射された放射線の線量に応じた電荷を発生させる複数の放射線検出素子と、
前記各放射線検出素子から前記電荷を読み出して画像データを生成する画像データの生成処理を行うように制御する制御手段と、
前記画像データを記憶する記憶手段と、
を備える放射線画像撮影装置において、
前記制御手段は、
撮影モードを、前記画像データの生成処理を行うことが可能な撮影可能モードと、前記画像データの生成処理を行うことができない撮影不可モードとの間で切り替え可能とされており、
患者情報と撮影部位情報のうちの少なくとも１つの情報が入力されると、前記撮影不可モードとされていた前記撮影モードを前記撮影可能モードに切り替え、前記撮影可能モードで行われた撮影で生成した前記画像データに前記情報を付帯させて前記記憶手段に記憶させた後、前記撮影モードを前記撮影可能モードから前記撮影不可モードに切り替えることを特徴とする。【００１５】
また、本発明の放射線画像撮影システムは、
上記の放射線画像撮影装置と、
前記患者情報と前記撮影部位情報のうちの少なくとも１つの前記情報を前記放射線画像撮影装置に入力する入力手段と、
前記放射線画像撮影装置に放射線を照射する放射線照射装置と、
を備えることを特徴とする。
【発明の効果】
【００１６】
本発明のような方式の放射線画像撮影装置および放射線画像撮影システムによれば、放射線画像撮影装置でコンソールによる制御を受けずに撮影を行う場合でも、人為的ミスが生じる可能性を的確に低減することが可能となり、患者情報や撮影部位情報を的確に画像データＤに付帯させることが可能となる。そのため、画像データＤに付帯されている患者情報や撮影部位情報に基づいて当該撮影に関する撮影オーダー情報を的確に割り出し、画像データＤ等に基づいて生成された放射線画像に撮影オーダー情報を的確に対応付けることが可能となる。
【図面の簡単な説明】
【００１７】
【図１】本実施形態に係る放射線画像撮影装置の外観を示す斜視図である。
【図２】放射線画像撮影装置の等価回路を表すブロック図である。
【図３】連携方式で撮影を行う場合に放射線画像撮影装置の各走査線にオン電圧を印加するタイミング等を説明するタイミングチャートである。
【図４】非連携方式で撮影を行う場合に放射線画像撮影装置の各走査線にオン電圧を印加するタイミング等を説明するタイミングチャートである。
【図５】図４に示した処理シーケンスと同じ処理シーケンスを繰り返してオフセットデータの読み出し処理を行うことを説明するタイミングチャートである。
【図６】放射線画像撮影装置と放射線照射装置と入力手段とを備える放射線画像撮影システムを表す図である。
【図７】本実施形態に係る放射線画像撮影装置における撮影モードの切り替えと各処理とのタイミング等を説明する図である。
【図８】照射録に表示されているバーコードの例を表す図である。
【図９】撮影オーダー情報の例を示す図である。
【図１０】放射線画像撮影装置とコンソールとを備える放射線画像撮影システムを表す図である。
【発明を実施するための形態】
【００１８】
以下、本発明に係る放射線画像撮影装置および放射線画像撮影システムの実施の形態について、図面を参照して説明する。
【００１９】
なお、以下では、放射線画像撮影装置として、シンチレーター等を備え、照射された放射線をシンチレーターで可視光等の他の波長の光に変換して放射線検出素子で画像データを得るいわゆる間接型の放射線画像撮影装置について説明するが、本発明は、シンチレーター等を介さずに放射線を放射線検出素子で直接検出する、いわゆる直接型の放射線画像撮影装置に対しても適用することも可能である。
【００２０】
［放射線画像撮影装置］
本実施形態に係る放射線画像撮影装置の基本的な構成等について説明する。図１は、放射線画像撮影装置の外観を示す斜視図である。
【００２１】
本実施形態では、放射線画像撮影装置１は、後述する放射線検出素子７等が筐体２内に収納されて構成されており、筐体２の一方の側面には、電源スイッチ２５や切替スイッチ２６、前述したコネクター２７、インジケーター２８等が配置されている。また、図示を省略するが、本実施形態では、筐体２の例えば反対側の側面等に、後述するコンソール５８等と無線方式で通信を行うためのアンテナ２９（後述する図２参照）が設けられている。なお、放射線画像撮影装置１は、外部と無線方式で通信を行う場合にはアンテナ２９を用い、外部と有線方式で通信を行う場合にはコネクター２７に図示しないケーブル等を接続させて通信するようになっている。
【００２２】
図２は、放射線画像撮影装置の等価回路を表すブロック図である。図２に示すように、放射線画像撮影装置１には、図示しないセンサー基板上に複数の放射線検出素子７が二次元状（マトリクス状）に配列されている。各放射線検出素子７は、照射された放射線の線量に応じた電荷を発生させるようになっている。各放射線検出素子７には、バイアス線９が接続されており、バイアス線９は結線１０に接続されている。そして、結線１０はバイアス電源１４に接続されており、バイアス電源１４からバイアス線９等を介して各放射線検出素子７に逆バイアス電圧が印加されるようになっている。
【００２３】
各放射線検出素子７には、薄膜トランジスター（Thin Film Transistor。以下、ＴＦＴという。）８がスイッチ素子として接続されており、ＴＦＴ８は信号線６に接続されている。また、走査駆動手段１５では、配線１５ｃを介して電源回路１５ａから供給されたオン電圧とオフ電圧がゲートドライバー１５ｂで切り替えられて走査線５の各ラインＬ１〜Ｌｘに印加されるようになっている。そして、各ＴＦＴ８は、走査線５を介してオン電圧が印加されるとオン状態になって、放射線検出素子７内に蓄積された電荷を信号線６に放出させ、また、走査線５を介してオフ電圧が印加されるとオフ状態になって、放射線検出素子７と信号線６との導通を遮断して、放射線検出素子７内で発生した電荷を放射線検出素子７内に蓄積させるようになっている。
【００２４】
読み出しＩＣ１６内には複数の読み出し回路１７が設けられており、読み出し回路１７にはそれぞれ信号線６が接続されている。そして、画像データＤの生成処理の際には、放射線検出素子７から電荷が放出されると、電荷は信号線６を介して読み出し回路１７に流れ込み、増幅回路１８では流れ込んだ電荷の量に応じた電圧値が出力される。そして、相関二重サンプリング回路（図２では「ＣＤＳ」と記載されている。）１９は、増幅回路１８から出力された電圧値をアナログ値の画像データＤとして読み出して下流側に出力する。そして、出力された画像データＤはアナログマルチプレクサー２１を介してＡ／Ｄ変換器２０に順次送信され、Ａ／Ｄ変換器２０でデジタル値の画像データＤに順次変換され、記憶手段２３に出力されて順次保存されるようになっている。
【００２５】
制御手段２２は、図示しないＣＰＵ（Central Processing Unit）やＲＯＭ（Read Only Memory）、ＲＡＭ（Random Access Memory）、入出力インターフェース等がバスに接続されたコンピューターや、ＦＰＧＡ（Field Programmable Gate Array）等で構成されている。専用の制御回路で構成されていてもよい。制御手段２２には、ＳＲＡＭ（Static ＲＡＭ）やＳＤＲＡＭ（Synchronous ＤＲＡＭ）、ＮＡＮＤ型フラッシュメモリー等で構成される記憶手段２３が接続されており、また、アンテナ２９やコネクター２７を介して外部と無線方式や有線方式で通信を行う通信部３０が接続されている。
【００２６】
また、制御手段２２には、走査駆動手段１５や読み出し回路１７、記憶手段２３、バイアス電源１４等の各機能部に必要な電力を供給する内蔵電源２４等が接続されている。そして、制御手段２２は、画像データＤの生成処理の際には、上記のように走査駆動手段１５や読み出し回路１７等の動作を制御して、各放射線検出素子７から電荷を読み出して画像データＤを生成するように制御するようになっている。
【００２７】
なお、本実施形態に係る放射線画像撮影装置１は、図示しない撮影台に装填して撮影に用いることも可能であるが、図示を省略するが、撮影台に装填せずに、いわば単独の状態で、例えば被写体である患者の身体にあてがったり、或いは例えば患者とベッドとの間に挿入する等して撮影に用いることもできるようになっている。
【００２８】
［放射線画像撮影装置の電力消費モードについて］
また、本実施形態では、制御手段２２は、放射線画像撮影装置１の撮影モードを、画像データＤの生成処理を行うことが可能な撮影可能モードと、画像データＤの生成処理を行うことができない撮影不可モードとの間で切り替えることができるようになっている。
【００２９】
撮影可能モードは、制御手段２２の制御に基づいて、前述した内蔵電源２４から走査駆動手段１５や各読み出しＩＣ１６、バイアス電源１４等の撮影を行うために必要な各機能部に電力を供給して画像データＤの生成処理を行うことが可能なモードを言う。
【００３０】
また、撮影不可モードは、外部からの信号等を受信するために必要な通信部３０等以外には電力を供給しない、いわゆる省電力モード（sleepモード等ともいう。）や、走査駆動手段１５等には電力を供給するが、撮影を行うために必要な動作を行わせない、いわゆるスタンバイモード等を含む、画像データＤの生成処理を行うことができないモードを言う。そのため、放射線画像撮影装置１の撮影モードが撮影不可モードである場合に、被写体を介して放射線画像撮影装置１に放射線が照射されても、放射線画像撮影装置１は画像データＤを生成しない。
【００３１】
なお、制御手段２２が、どのようなタイミングで放射線画像撮影装置１の撮影モードを撮影可能モードと撮影不可モードとの間で切り替えるかについては、後で詳しく説明する。
【００３２】
［撮影時に行われる処理について］
ここで、撮影時に放射線画像撮影装置１で行われる処理について説明する。その際、放射線画像撮影装置１と放射線照射装置５１（後述する図６参照）との間で信号の送受信等を行って連携を取りながら撮影を行う場合（以下、この場合の撮影方式を連携方式という。）と、放射線画像撮影装置１と放射線照射装置５１との間で信号の送受信等を行わずに撮影を行う場合（以下、この場合の撮影方式を非連携方式という。）とで、放射線画像撮影装置１で行われる処理が異なる。
【００３３】
連携方式の場合、例えば図３の左側の部分に示すように、放射線画像撮影装置１の制御手段２２は、走査駆動手段１５のゲートドライバー１５ｂ（図２参照）から走査線５の各ラインＬ１〜Ｌｘにオン電圧を順次印加させ、各ＴＦＴ８を順次オン状態にして各放射線検出素子７内に残存する電荷を除去する放射線検出素子７のリセット処理を行わせる。
【００３４】
そして、放射線技師等の操作者が放射線を照射するために放射線照射装置５１の曝射スイッチ５１Ａ（後述する図６参照）を操作（いわゆる全押し）すると、放射線照射装置５１から放射線画像撮影装置１に対して照射開始信号が送信される。そして、放射線画像撮影装置１の制御手段２２は、照射開始信号を受信すると、図３に示すように、走査線５の最終ラインＬｘまでオン電圧を印加させて放射線検出素子７のリセット処理を行った時点でリセット処理を終了させ、ゲートドライバー１５ｂから走査線５の各ラインＬ１〜Ｌｘにオフ電圧を印加させて各ＴＦＴ８をオフ状態にさせて、放射線の照射により各放射線検出素子７内で発生した電荷を各放射線検出素子７内に蓄積させる電荷蓄積状態に移行させる。そして、放射線画像撮影装置１の制御手段２２は、それと同時に、放射線照射装置５１にインターロック解除信号を送信する。
【００３５】
放射線照射装置５１は、インターロック解除信号を受信すると、その時点で放射線を照射する。なお、図３における斜線部分は、放射線照射装置５１から放射線が照射されている期間を表す。そして、放射線画像撮影装置１の制御手段２２は、電荷蓄積状態に移行してから所定の蓄積時間τが経過した時点で、図３の右側の部分に示すように、ゲートドライバー１５ｂから走査線５の各ラインＬ１〜Ｌｘにオン電圧を順次印加して、上記のようにして各放射線検出素子７から画像データＤを読み出して画像データＤの生成処理を行うように構成される。
【００３６】
一方、非連携方式の場合、放射線画像撮影装置１と放射線照射装置５１との間で信号の送受信等は行われない。そのため、非連携方式の場合は、放射線画像撮影装置１が自ら放射線照射装置５１からの放射線の照射が開始されたことを検出するように構成される。そして、このように、非連携方式で撮影が行われる場合に、放射線画像撮影装置１の制御手段２２が放射線の照射開始を検出する処理を行うように構成することで、放射線画像撮影装置１と放射線照射装置５１との間で信号の送受信等を行わない（或いは行うことができない）場合でも、放射線画像撮影装置１が自ら放射線の照射開始を検出して、撮影を的確に行うことが可能となる。
【００３７】
なお、このように放射線画像撮影装置１自体で放射線の照射を検出する方法としては、例えば特開２００９−２１９５３８号公報や国際公開第２０１１／１３５９１７号パンフレット、国際公開第２０１１／１５２０９３号パンフレット等に記載された方法を用いることが可能であり、詳しくはそれらの公報等を参照されたい。
【００３８】
以下、非連携方式において放射線画像撮影装置１で行われる処理として、上記の国際公開第２０１１／１３５９１７号パンフレットに記載されているリークデータｄleakやそれから算出される値に基づいて放射線の照射開始を検出するように放射線画像撮影装置１が構成されている場合を例に挙げて、具体的に説明する。
【００３９】
リークデータｄleakとは、ゲートドライバー１５ｂから走査線５の各ラインＬ１〜Ｌｘにオフ電圧を印加し、オフ状態とされた各ＴＦＴ８を介して各放射線検出素子７から信号線６にリークする電荷を読み出し回路１７で読み出したデータである。そして、放射線画像撮影装置１に放射線が照射されると、読み出されるリークデータｄleakの値が増加することを利用して放射線の照射開始を検出することができる。
【００４０】
上記のように、リークデータｄleakは各ＴＦＴ８をオフ状態とした状態で読み出されるデータであるため、各ＴＦＴ８をオフ状態としたままだと各放射線検出素子７内に暗電荷（暗電流等ともいう。）が蓄積され続ける状態になる。そのため、図４の左側の部分に示すように、リークデータｄleakの読み出し処理（図４のＬ参照）と交互に、ゲートドライバー１５ｂから走査線５の各ラインＬ１〜Ｌｘにオン電圧を順次印加させて放射線検出素子７のリセット処理（図４のＲ参照）が行われる。
【００４１】
そして、上記のように放射線技師等の操作者が曝射スイッチ５１Ａを操作して放射線照射装置５１から放射線を照射させると、放射線画像撮影装置１は、ある回のリークデータｄleakの読み出し処理で読み出されたリークデータｄleakが急激に大きくなるため、読み出したリークデータｄleak等に基づいて放射線の照射開始を検出することができる（図４の「検出」参照）。
【００４２】
そして、放射線画像撮影装置１の制御手段２２は、このようにして放射線の照射開始を検出すると、ゲートドライバー１５ｂから走査線５の各ラインＬ１〜Ｌｘにオフ電圧を印加させて電荷蓄積状態に移行させて、電荷蓄積状態に移行させる。そして、電荷蓄積状態に移行してから所定の蓄積時間τが経過した時点で、図４の右側の部分に示すように、ゲートドライバー１５ｂから走査線５の各ラインＬ１〜Ｌｘにオン電圧を順次印加して、上記のようにして各放射線検出素子７から画像データＤを読み出して画像データＤの生成処理を行うように構成される。
【００４３】
なお、図４では、画像データＤの生成処理の際、放射線の照射開始を検出したリークデータｄleakの読み出し処理（Ｌ）の直前にリセット処理（Ｒ）のためにオン電圧を印加した走査線５（図４の場合は走査線５のラインＬ４）の次にオン電圧を印加すべき走査線５（図４の場合は走査線５のラインＬ５）からオン電圧の印加を開始して画像データＤの生成処理を行う場合が示されているが、例えば連携方式（図３参照）の場合と同様に、走査線５の最初のラインＬ１からオン電圧を順次印加して画像データＤの生成処理を行うように構成することも可能である。
【００４４】
［オフセットデータの読み出し処理等について］
連携方式の場合も非連携方式の場合も同様に、放射線画像撮影装置１の制御手段２２は、上記のようにして画像データＤの生成処理を行うと、例えば図５に示すようにしてオフセットデータＯの読み出し処理を行う。なお、図５では、図４に示した非連携方式の場合のオフセットデータＯの読み出し処理が記載されている。
【００４５】
すなわち、放射線画像撮影装置１の制御手段２２は、例えば図４に示したようにして画像データＤの生成処理を行うと、続いて、所定フレーム分の放射線検出素子７のリセット処理を行った後、図５に示すように、図４に示した画像データＤの生成処理までの処理シーケンスと同じ処理シーケンスを繰り返して各放射線検出素子７からのオフセットデータＯの読み出し処理を行う。なお、オフセットデータＯの読み出し処理前の電荷蓄積状態では、放射線画像撮影装置１には放射線は照射されない。
【００４６】
なお、図５に示すように、オフセットデータＯの読み出し処理における電荷蓄積状態の前に、読み出し回路１７に読み出し動作を行わせてリークデータｄleakの読み出し処理（Ｌ）を行わせるように構成してもよく、また、この場合は放射線の照射開始の検出処理を行う必要はないため、リークデータｄleakの読み出し処理（Ｌ）を行わないように構成することも可能である。また、連携方式で撮影が行われる場合は、放射線画像撮影装置１の制御手段２２は、放射線画像撮影装置１に放射線が照射されない状態で、図３に示した処理シーケンスと同じ処理シーケンスを繰り返してオフセットデータＯの読み出し処理を行うように構成される。
【００４７】
そして、放射線画像撮影装置１の制御手段２２は、このようにしてオフセットデータＯを読み出すと、画像データＤと同様に、オフセットデータＯも記憶手段２３に記憶させるように構成される。
【００４８】
なお、後の放射線画像の生成処理で、下記（１）式のように放射線検出素子７ごとに画像データＤからオフセットデータＯが減算されて、いわゆる真の画像データＤ＊（すなわち放射線の照射に起因して各放射線検出素子７内で発生した電荷に基づく、暗電荷等のノイズ成分を含まない画像データ）が算出される。
Ｄ＊＝Ｄ−Ｏ    …（１）
【００４９】
そして、放射線画像撮影装置１の記憶手段２３に、各放射線検出素子７の画像データＤとオフセットデータＯとを記憶するように構成するよりも、上記（１）式に従って算出される各放射線検出素子７の真の画像データＤ＊を記憶するように構成れば、記憶手段２３に記憶されるデータ量が半減されるため、その分、記憶手段２３に記憶させることができる放射線画像の枚数（すなわち撮影の回数）を多くすることができる。
【００５０】
そのため、放射線画像撮影装置１の制御手段２２は、上記のようにオフセットデータＯを読み出した時点で、放射線検出素子７ごとに上記（１）式に従って画像データＤからオフセットデータＯを減算して真の画像データＤ＊を算出し、算出した真の画像データＤ＊を記憶手段２３に記憶するように構成することも可能である。
【００５１】
また、放射線画像撮影装置１の記憶手段２３に記憶された画像データＤやオフセットデータＯ、或いは上記のようにして算出されて記憶手段２３に記憶された真の画像データＤ＊は、後でコンソールに送信され、コンソール上でそれらに基づいて放射線画像の生成処理等が行われるが、この点については、後で説明する。
【００５２】
［本発明に特有の放射線画像撮影装置等の構成等について］
次に、本発明に特有の放射線画像撮影装置１および放射線画像撮影システム５０の構成について説明する。
【００５３】
本実施形態では、図６に示すように、コンソールによる制御を受けずに撮影を行う、いわゆる自立型の放射線画像撮影装置１や、放射線照射装置５１等を、撮影現場（例えば病院の病室や患者の自宅、或いは骨折した競走馬等が保護されている場所等）に持ち込んで撮影が行われる場合が想定されている。
【００５４】
この場合、撮影された画像データＤやオフセットデータＯ或いは真の画像データＤ＊を放射線画像撮影装置１の記憶手段２３に溜め込んでおき、一連の撮影が終わった時点で、放射線技師等の操作者が放射線画像撮影装置１をコンソールの所に持参して、放射線画像撮影装置１からコンソールに画像データＤやオフセットデータＯ或いは真の画像データＤ＊を送信するように運用される。
【００５５】
なお、自立型の放射線画像撮影装置１を、上記の患者の自宅等のように撮影環境が整っていない撮影現場だけでなく、撮影環境が整った病院等の撮影室に持ち込んで撮影を行う場合にも、本発明を適用することが可能である。
【００５６】
また、自立型の放射線画像撮影装置１や放射線照射装置５１を撮影現場に持ち込んで撮影を行う場合、放射線照射装置５１が、放射線画像撮影装置１との間で信号の送受信等を行うことができないように構成されている場合が少なくないため、撮影が非連携方式で行われる場合が多いことが想定されるが、放射線照射装置５１が放射線画像撮影装置１との間で信号の送受信等を行うことができるように構成されている場合は、撮影を連携方式で行うことも可能である。
【００５７】
本実施形態では、図７に示すように、放射線画像撮影装置１の制御手段２２は、入力手段５２（図６参照）から患者情報と撮影部位情報のうちの少なくとも１つの情報が入力されると、前述した装置の撮影モードを撮影不可モードから撮影可能モードに切り替える。なお、入力手段５２から情報が入力されるまでは、撮影モードは撮影不可モードとされている。
【００５８】
そして、撮影可能モードで放射線が照射されて行われた撮影の際に上記の生成処理で生成した画像データＤ（或いは上記（１）式に従って算出した真の画像データＤ＊。以下、真の画像データＤ＊の場合も含めて画像データＤという。）にその情報を付帯させて上記のようにして記憶手段２３に記憶させた後、装置の撮影モードを撮影可能モードから撮影不可モードに切り替えるように構成されている。
【００５９】
以下、具体的な構成例を挙げて説明する。例えば、放射線技師等の操作者は、放射線画像撮影を行う際、通常、撮影ごとに撮影条件（すなわち例えば放射線照射装置５１に設定した管電圧や管電流、照射時間（或いはいわゆるｍＡｓ値）等）や撮影状況等を記憶するための照射録を所持している。
【００６０】
そのため、例えば図８に示すように、照射録ＩＲの紙面上に、当該撮影の対象である患者の氏名や患者ＩＤ等すなわち患者情報や、胸部正面等の撮影部位情報が書き込まれたバーコードＢＣを予め印刷しておき、バーコードリーダーで照射録上のバーコードを読み取り、バーコード中に書き込まれている患者情報と撮影部位情報を放射線画像撮影装置１に送信して入力するように構成することが可能である。
【００６１】
この場合は、バーコードリーダーが入力手段５２に相当する。なお、この場合は、放射線技師等の操作者がバーコードリーダーを撮影現場に持参することになる。また、入力手段５２から放射線画像撮影装置１に患者情報や撮影部位情報を送信して入力する方法としては、例えばＢｌｕｅｔｏｏｔｈ（登録商標）や無線ＬＡＮ（Local Area Network）、ＩｒＤＡ（Infrared Data Association）等を用いた無線通信を用いてもよく、また、入力手段５２と放射線画像撮影装置１とを図示しないケーブルで接続する等して有線方式で送信して入力するように構成することも可能である。
【００６２】
放射線画像撮影装置１の制御手段２２は、上記のようにして患者情報と撮影部位情報が入力されると、撮影不可モードとされていた装置の撮影モードを撮影可能モードに切り替える。そして、撮影が非連携方式で行われる場合は、図４に示したように、リークデータｄleakの読み出し処理（Ｌ）と放射線検出素子７のリセット処理（Ｒ）とを開始して放射線の照射開始の検出処理を開始する。また、撮影が連携方式で行われる場合は、図３に示したように放射線検出素子７のリセット処理を開始して撮影に備える。
【００６３】
そして、放射線画像撮影装置１の制御手段２２は、上記のようにして放射線照射装置５１から図示しない被写体を介して放射線が照射されて撮影が行われ、画像データＤの生成処理（図４等参照）やオフセットデータＯの読み出し処理（図５参照）を行わせると、生成した画像データＤ（前述したように真の画像データＤ＊の場合も含む。以下同じ。）に、入力された患者情報と撮影部位情報とを、画像データＤのヘッダー等に書き込む等して付帯させる。
【００６４】
そして、放射線画像撮影装置１の制御手段２２は、患者情報等を付帯させた画像データＤを記憶手段２３に記憶させる。そして、その後、装置の撮影モードを撮影可能モードから撮影不可モードに切り替えるように構成されている。画像データＤとオフセットデータＯとを別々に記憶手段２３に記憶させる場合に、オフセットデータＯにも患者情報等を付帯させるように構成することも可能である。
【００６５】
［作用］
次に、本実施形態に係る放射線画像撮影装置１や放射線画像撮影システム５０の作用について説明する。
【００６６】
放射線画像撮影装置１の制御手段２２は、放射線技師等の操作者により電源スイッチ２５（図１参照）がオンされる等して起動すると、放射線検出素子７のリセット処理等の所定の初期動作を行った後、装置の撮影モードを撮影不可モードにする。その際、例えば撮影不可モードがスタンバイモードであれば、制御手段２２は、走査駆動手段１５や各読み出し回路１７等（図２参照）が動作しないように制御する。
【００６７】
また、例えば撮影不可モードが省電力モードであれば、放射線画像撮影装置１の制御手段２２は、上記のように各機能部に初期動作を行わせた後、内蔵電源２４から通信部３０等の必要な機能部にのみ電力を供給させる状態にして、自らもスリープ状態に移行する。このように、制御手段２２は、各機能部の初期動作が完了すると、装置の撮影モードを撮影不可モードに切り替える。
【００６８】
なお、放射線画像撮影装置１の撮影モードが撮影不可モードである場合に、放射線照射装置５１から放射線画像撮影装置１に放射線が照射されても、放射線画像撮影装置１では画像データＤの生成処理は行われない。すなわち、放射線が照射されても、放射線画像撮影装置１で画像データＤが生成されたり記憶手段２３に記憶されたりすることはない。
【００６９】
そして、放射線技師等の操作者により、照射録の紙面上に印刷されたり貼付されて表示されているバーコードがバーコードリーダー（すなわち入力手段５２）で読み取られ、バーコード中に書き込まれている患者情報や撮影部位情報が放射線画像撮影装置１に送信されて入力されると、放射線画像撮影装置１の制御手段２２は、例えばその時点でスリープ状態になっている場合は、上記の情報を受信した通信部３０からの覚醒信号に従って覚醒（wake up）する。
【００７０】
そして、制御手段２２は、その時点で、装置の撮影モードを撮影不可モードから撮影可能モードに切り替える。すなわち、内蔵電源２４から走査駆動手段１５や各読み出し回路１７等に電力を供給させて、前述したように、撮影が非連携方式で行われる場合は放射線の照射開始の検出処理を開始させ、撮影が連携方式で行われる場合は放射線検出素子７のリセット処理を開始させる。
【００７１】
そして、放射線技師等の操作者の曝射スイッチ５１Ａに対する操作により放射線照射装置５１から被写体を介して放射線画像撮影装置１に放射線が照射される際には、放射線画像撮影装置１の制御手段２２は、前述したような制御を行って（図３や図４参照）電荷蓄積状態に移行させ、生成した画像データＤに入力された患者情報や撮影部位情報を付帯させて記憶手段２３に記憶させる。
【００７２】
そして、このようにして患者情報等を付帯させた画像データＤを記憶手段２３に記憶ささせると、放射線画像撮影装置１の制御手段２２は、装置の撮影モードを、撮影可能モードから撮影不可モードに切り替える。そのため、その後、改めて入力手段５２から放射線画像撮影装置１に患者情報等が入力されない限り、放射線照射装置５１から放射線画像撮影装置１に放射線が照射されても、放射線画像撮影装置１では画像データＤが生成されたり記憶手段２３に記憶されたりすることはない。
【００７３】
このように、本実施形態に係る放射線画像撮影装置１や放射線画像撮影システム５０では、入力手段５２から放射線画像撮影装置１に患者情報等の入力がない限り、放射線画像撮影装置１では画像データＤは生成されない。そして、入力手段５２から放射線画像撮影装置１に患者情報等が入力された場合にだけ、放射線画像撮影装置１で画像データＤが生成され、画像データＤ（前述したように真の画像データＤ＊である場合を含む。以下同じ。）に入力された患者情報や撮影部位情報が付帯される。
【００７４】
すなわち、撮影ができない状態（撮影不可モード）にあった放射線画像撮影装置１が、患者情報や撮影部位情報が入力されることをトリガーとして撮影可能な状態（撮影可能モード）になり、その状態で撮影された画像データＤにその患者情報や撮影部位情報を付帯させる。そして、再び撮影ができない状態（撮影不可モード）になる。
【００７５】
言い換えれば、撮影不可能な状態にあった放射線画像撮影装置１が、患者情報や撮影部位情報の入力があると撮影可能になり、直後に生成した画像データＤに患者情報や撮影部位情報を付帯させて保存すると、再び撮影不可能な状態に戻る。そして、患者情報等の入力がない限り、たとえ放射線が照射されても画像データＤを生成しない。
【００７６】
そのため、本実施形態に係る放射線画像撮影装置１や放射線画像撮影システム５０では、患者情報や撮影部位情報と、それに基づいて撮影された画像データＤとが、確実に１：１に対応付けられることになる。
【００７７】
そして、放射線技師等の操作者が、誤った照射録のバーコード、すなわち当該撮影に関する照射録とは異なる照射録に印刷されているバーコードをバーコードリーダーで読み取る等しない限り、患者情報や撮影部位情報をそれに対応する画像データＤに的確に対応付けて付帯させることが可能となる。
【００７８】
すなわち、本実施形態において、少なくとも患者情報や撮影部位情報と画像データＤとの対応付けにおいて、人為的ミスが発生するのは、バーコードリーダーで読み取らせるバーコードを誤ったような場合に限られる。そのため、前述した従来の場合のように、例えば放射線技師等の操作者が、放射線画像撮影装置に表示された番号を見たり、その番号をメモしたり、患者情報や撮影部位情報と番号とを対応付けたりして、患者情報や撮影部位情報と画像データＤとを対応付ける場合に比べて、人為的ミスが発生する可能性を的確に低減されることが可能となる。
【００７９】
［効果］
以上のように、本実施形態に係る放射線画像撮影装置１や放射線画像撮影システム５０によれば、放射線画像撮影装置１でコンソール等による制御を受けずに撮影を行う場合でも、人為的ミスが生じる可能性を的確に低減することが可能となり、患者情報や撮影部位情報を的確に画像データＤ（真の画像データＤ＊である場合を含む。以下同じ。）に付帯させることが可能となる。
【００８０】
そのため、画像データＤに付帯されている患者情報や撮影部位情報に基づいて当該撮影に関する撮影オーダー情報を的確に割り出し、画像データＤ等に基づいて生成された放射線画像に撮影オーダー情報を的確に対応付ける（すなわち紐付ける）ことが可能となる。そのため、前述したように、放射線画像がそれに対応しない撮影オーダー情報と対応付けられてしまい、本来その患者が有していないはずの傷病等をその患者が有しているように誤診されてしまったり、本来その患者が有しているはずの傷病等がなくなった（治った）と誤診されてしまったりする等の誤診断等が生じることを的確に防止することが可能となる。
【００８１】
なお、上記のようにして撮影オーダー情報と的確に対応付けられた放射線画像は、放射線技師等の操作者が承認して確定すると、例えばＰＡＣＳ（Picture Archiving and Communication System）等の所定の外部システムに送信される。
【００８２】
また、撮影オーダー情報は、ＨＩＳ（Hospital Information System；病院情報システム）やＲＩＳ（Radiology Information System；放射線科情報システム）から取り寄せたり、撮影オーダー情報が記載された紙面上から読み取ったり、或いはコンソールＣに直接入力される等して、コンソールＣに入手される。
【００８３】
撮影オーダー情報は、例えば図９に例示するように、患者情報としての「患者ＩＤ」Ｐ２、「患者氏名」Ｐ３、「性別」Ｐ４、「年齢」Ｐ５、「診療科」Ｐ６や、撮影部位情報としての「撮影部位」Ｐ７や「撮影方向」Ｐ８等で構成されている。そして、例えば、撮影オーダーを受け付けた順に、各撮影オーダー情報に対して「撮影オーダーＩＤ」Ｐ１が自動的に割り当てられる。
【００８４】
そして、照射録は、通常、この撮影オーダー情報に基づいて、撮影オーダー情報ごとに作成される。そのため、照射録を作成する際に、撮影オーダー情報に指示されている患者情報や撮影部位情報をバーコードに書き込んで照射録上に印刷したり、印刷されたバーコードを貼付したりして、照射録上にバーコードを表示することで、入力手段５２を介して放射線画像撮影装置１に入力され、画像データＤに付帯される患者情報や撮影部位情報と、撮影オーダー情報における患者情報や撮影部位情報とを同じ形にすることができる。なお、撮影オーダーＩＤも放射線画像撮影装置１に入力して付帯させるように構成することも可能である。
【００８５】
そのため、放射線技師等の操作者は、画像データＤに付帯されている患者情報や撮影部位情報に対応する患者情報や撮影部位情報を有する撮影オーダー情報を比較的容易に割り出すことが可能であり、画像データＤ等に基づいて生成された放射線画像に撮影オーダー情報を的確に対応付けることが可能となる。
【００８６】
［変形例１］
なお、上記のように、放射線技師等の操作者が、コンソール上で、画像データＤや真の画像データＤ＊に付帯されている患者情報や撮影部位情報に基づいて当該撮影に関する撮影オーダー情報を割り出して、放射線画像に撮影オーダー情報を対応付けるように構成する代わりに、上記のように画像データＤ等に基づいて放射線画像を生成するコンソールＣが自動的にこの対応付けを行うように構成することも可能である。
【００８７】
この場合の放射線画像撮影システム６０は、図１０に示すように、放射線画像撮影装置１とコンソールＣとを備える。そして、前述したように、コンソールＣは、放射線画像撮影装置１から画像データＤやオフセットデータＯ、或いは真の画像データＤ＊が送信されてくると、送信されてきた画像データＤやオフセットデータＯに基づいて算出した真の画像データＤ＊、或いは送信されてきた真の画像データＤ＊に対してゲイン補正や欠陥補正、撮影部位等に応じた階調処理等の画像処理を行って放射線画像を生成する。
【００８８】
そして、コンソールＣは、生成した放射線画像に、当該放射線画像の基となった画像データＤや真の画像データＤ＊に付帯されていた患者情報や撮影部位情報に対応する撮影オーダー情報を対応付けるように構成することが可能である。
【００８９】
このように構成すれば、上記のように、患者情報や撮影部位情報に基づいて、生成された放射線画像と撮影オーダー情報とを的確に対応付けることが可能となるとともに、コンソールＣが自動的に対応付けを行い、放射線技師等の操作者はその対応付けに誤りがないか等を確認するだけで済むため、放射線画像と撮影オーダー情報との対応付けの処理を非常に楽に行うことが可能となるという効果もある。
【００９０】
［放射線画像撮影装置からコンソールへのデータの送信順について］
なお、上記の実施形態の場合（すなわち放射線技師等の操作者が放射線画像と撮影オーダー情報との対応付けを行う場合）も変形例１の場合（すなわちコンソールＣが対応付けを行う場合）も同様であるが、本発明によれば、上記のように、画像データＤや真の画像データＤ＊に患者情報や撮影部位情報が的確に付帯される。
【００９１】
そして、放射線画像撮影装置１からコンソールＣに画像データＤや真の画像データＤ＊等を送信する際に、撮影順に送信しなくても、画像データＤや真の画像データＤ＊に付帯されている患者情報や撮影部位情報に基づいて放射線画像と撮影オーダー情報とを的確に対応付けることができる。そのため、放射線画像撮影装置１からコンソールＣに撮影順に画像データＤや真の画像データＤ＊等を送信してもよいが、必ずしも撮影順に送信する必要はなく、放射線画像撮影装置１からコンソールＣに画像データＤや真の画像データＤ＊等を送信する順番は適宜の順番に決めることが可能である。
【００９２】
［変形例２］
また、上記の構成例では、照射録に表示されたバーコードを、入力手段５２としてのバーコードリーダーで読み取る場合について説明したが、例えば、照射録上にＱＲコード（登録商標）等の２次元コード等を表示し、デジタルカメラやスマートフォン、タブレット端末等の撮影装置で２次元コード等を撮影し、２次元コード等の中に書き込まれている患者情報と撮影部位情報を放射線画像撮影装置１に送信して入力するように構成することも可能である。この場合、デジタルカメラやスマートフォン、タブレット端末等の撮影装置が入力手段５２ということになる。
【００９３】
なお、放射線技師等の操作者がスマートフォンやタブレット等に患者情報や部位情報を入力して放射線画像撮影装置１に送信するように構成することも可能である。また、バーコードリーダーがない場合や、撮影装置が２次元コードから患者情報や撮影部位情報を読み取る機能を備えていない等の場合には、例えばバーコードや２次元コードそのものを撮影装置で写真や動画等として撮影し、写真や動画等のデータを患者情報や撮影部位情報として画像データＤや真の画像データＤ＊に付帯させるように構成することも可能である。
【００９４】
さらに、デジタルカメラやスマートフォン、タブレット端末等の撮影装置でバーコードや２次元コードを撮影する代わりに、患者本人や撮影部位そのもの或いは撮影風景を写真や動画等として撮影し、それを患者情報や撮影部位情報として画像データＤや真の画像データＤ＊に付帯させるように構成することも可能である。また、患者情報として指紋や虹彩、網膜、静脈等の生体情報を入力したり、患者が手首に装着している患者認識用のリストバンドに印刷されているバーコード等を読み取って入力したり、或いは、患者の自宅で撮影を行うような場合はＧＰＳ（Global Positioning System）やジャイロセンサー等の位置情報を患者情報として入力するように構成することも可能である。
【００９５】
また、放射線画像撮影装置１自体に、バーコードや２次元コードを撮影したり、患者や撮影部位等の写真や動画等を撮影したり、或いは患者情報としての生体情報や位置情報を認識する機能を持たせるように構成することも可能である。すなわち、放射線画像撮影装置１自体を入力手段５２とするように構成することも可能である。
【００９６】
［変形例３］
一方、上記のように、放射線画像撮影装置１の制御手段２２は、入力手段５２から患者情報や撮影部位情報の入力があれば、装置の撮影モードを自動的に撮影不可モードから撮影可能モードに切り替える。また、生成した画像データＤや算出した真の画像データＤ＊に患者情報や撮影部位情報を付帯させて記憶手段２３に記憶させると、装置の撮影モードを自動的に撮影可能モードから撮影不可モードに切り替える。そのため、放射線技師等の操作者が、放射線画像撮影装置１の撮影モードが現在どのモードにあるかが分からなくなる可能性がある。
【００９７】
そこで、例えば、放射線画像撮影装置１の制御手段２２は、インジケーター２８（図１参照）を撮影モードごとに異なる色で発光、点滅させたり、或いは、撮影モードを切り替えるごとに放射線技師等の操作者が携帯するスマートフォンやタブレット端末等に信号を送信して、その画面上に、放射線画像撮影装置１の撮影モードが現在どのモードにあるかを表示させるように構成することも可能である。また、撮影モードを切り替えるごとに、放射線画像撮影装置１やスマートフォン、タブレット端末等から音声を発生させて、放射線技師等の操作者に撮影モードが切り替わったことを報知するように構成することも可能である。
【００９８】
［変形例４］
また、上記のように、バーコードを読み込ませる等して、入力手段５２から放射線画像撮影装置１に患者情報や撮影部位情報を入力した後、放射線画像撮影装置１に放射線が照射されないまま（すなわち画像データＤが生成されないにもかかわらず）、続けて、入力手段５２から放射線画像撮影装置１に患者情報や撮影部位情報が入力された場合、放射線技師等の操作者が、間違った患者情報等を入力したため、正しい患者情報等を入力し直したとも考えられるが、最初に入力した患者情報等に基づく撮影をし忘れて、次の撮影のために患者情報等を入力したとも考えられる。
【００９９】
そのため、このように、画像データＤの生成処理を行っていないにもかかわらず、入力手段５２から連続して患者情報や撮影部位情報の入力があった場合は、放射線画像撮影装置１の制御手段２２は、インジケーター２８を所定の色で発光させたり、所定の点滅の仕方で点滅させたり、音声を発生させたり、或いは、放射線技師等の操作者が携帯するスマートフォンやタブレット端末等に信号を送信して、その画面上に表示したり、音声を発生させる等して、入力手段５２から連続して患者情報や撮影部位情報の入力があったことを警告するように構成することが可能である。
【０１００】
このように構成すれば、放射線技師等の操作者に、画像データＤの生成処理を行っていないにもかかわらず、入力手段５２から連続して患者情報や撮影部位情報の入力があったことを確実に伝えることが可能となる。
【０１０１】
なお、この場合、例えば、放射線画像撮影装置１の制御手段２２は、警告を行った時点で、装置の撮影モードを自動的に撮影不可モードに切り替えて、患者情報や撮影部位情報の入力からやり直させるように構成することが可能である。或いは、警告は行うが、放射線技師等の操作者が正しい患者情報等を入力し直したものと見なして、装置の撮影モードを撮影可能モードとしたままで、先に入力された患者情報等を削除し、最後に入力された患者情報等を残し、最後に入力された患者情報等が入力された患者情報等であるとして処理を行うように構成することも可能である。
【０１０２】
このように、入力手段５２から連続して患者情報や撮影部位情報の入力があった場合に放射線画像撮影装置１をどのような状態にするかは適宜決めることが可能であり、決められた事項が放射線技師等の操作者に周知される。或いは、入力手段５２から連続して患者情報や撮影部位情報の入力があった場合に放射線画像撮影装置１をどのような状態にするかを、放射線技師等の操作者が適宜選択する（すなわちカスタマイズする）ことができるように構成することも可能である。
【０１０３】
［変形例５］
また、上記のように、入力手段５２から患者情報や撮影部位情報が放射線画像撮影装置１に入力された後、例えば、所定時間が経過しても、放射線照射装置５１から照射開始信号が送信されてこなかったり（連携方式の場合）、放射線画像撮影装置１が放射線の照射開始を検出しなかったり（非連携方式の場合）、或いは、放射線技師等の操作者が、放射線画像撮影装置１の切替スイッチ２６（図１参照。すなわちいわゆるキャンセルボタン）を操作する等した場合には、放射線画像撮影装置１の制御手段２２は、装置の撮影モードを撮影可能モードから撮影不可モードに切り替えるように構成することが可能である。
【０１０４】
上記のように、放射線画像撮影装置１の制御手段２２は、装置の撮影モードが撮影不可モードから撮影可能モードに切り替えると、放射線検出素子７のリセット処理（連携方式の場合）や放射線の照射開始の検出処理（非連携方式の場合）を行わせるが、撮影が行われない（すなわち放射線照射装置５１から放射線が照射されない）にもかかわらずいつまでもそれを継続すると、例えば放射線画像撮影装置１の内蔵電源２４の電力が無駄に消費される等の弊害が生じる。
【０１０５】
そこで、上記のように構成して、装置の撮影モードを撮影可能モードから撮影不可モードに切り替えることで、撮影が行われない場合に撮影モードを自動的に撮影不可モードに切り替えることが可能となり、放射線画像撮影装置１の内蔵電源２４の電力が無駄に消費される等の弊害が生じることを的確に防止することが可能となる。
【０１０６】
［変形例６］
また、放射線画像撮影装置１の記憶手段２３に記憶された画像データＤやオフセットデータＯ或いは真の画像データＤ＊の枚数が、記憶手段２３に記憶可能な枚数の上限に達し、記憶手段２３にさらに画像データＤ等を記憶することができなくなった場合には、入力手段５２から放射線画像撮影装置１に患者情報や撮影部位情報が入力されても、患者情報や撮影部位情報を付帯させた画像データＤ等を記憶手段２３に記憶させることができない。
【０１０７】
そのため、放射線画像撮影装置１の制御手段２２は、記憶手段２３に記憶された画像データＤ等が上限に達した場合には、放射線画像撮影装置１の制御手段２２が、入力手段５２からの患者情報等の情報の入力を受け付けず、放射線画像撮影装置１の撮影モードを撮影不可モードから撮影可能モードには切り替えず撮影不可モードのままとするように構成することが可能である。
【０１０８】
このように構成しないと、記憶手段２３に記憶された画像データＤ等が上限に達した後の撮影で生成された画像データＤ等が記憶手段２３に上書き保存される等して、記憶手段２３に既に記憶されている必要な画像データＤ等が失われてしまう可能性があるが、上記のように構成することで、このような問題が生じることが的確に回避され、記憶手段２３に記憶されている必要な画像データＤ等が上書き保存等によって失われてしまうことを的確に防止することが可能となる。
【０１０９】
そして、この場合、例えば放射線画像撮影装置１のインジケーター２８を所定の色で発光させたり、所定の点滅の仕方で点滅させたり、音声を発生させたり、或いは、放射線技師等の操作者が携帯するスマートフォンやタブレット端末等に信号を送信して、その画面上に表示したり、音声を発生させる等して、放射線画像撮影装置１の記憶手段２３の記憶枚数が上限に達したので入力手段５２からの入力を受け付けないことを放射線技師等の操作者に報知するように構成することが可能である。
【０１１０】
このように構成することで、放射線技師等の操作者が、放射線画像撮影装置１の記憶手段２３に画像データＤ等を記憶させることができない状態になっていることに気づかずに撮影を続けて行ってしまうことを的確に防止することが可能となり、撮影を中止したり、使用する放射線画像撮影装置１を別の放射線画像撮影装置１に交換したり、或いは放射線画像撮影装置１の記憶手段２３に記憶された画像データＤ等を一旦コンソールＣに送信して記憶手段２３に画像データＤ等を記憶させることができる状態にするなど、放射線技師等の操作者に適切な対応をとらせることが可能となる。
【０１１１】
［変形例７］
ところで、上記の実施形態や変形例等では、入力手段５２から放射線画像撮影装置１に入力する情報が患者情報および撮影部位情報である場合について説明したが、入力手段５２から放射線画像撮影装置１に入力する情報は、必ずしも患者情報と撮影部位情報の両方である必要はない。
【０１１２】
例えば、放射線画像撮影装置１や放射線照射手段５１、入力手段５２すなわち図６に示した放射線画像撮影システム５０を病院の病室や患者の自宅等に持ち込んで、同一の患者に対して複数の撮影部位を撮影するような場合には、撮影対象は当該患者のみであるから、画像データＤや真の画像データＤ＊に付帯させる情報としては撮影部位情報さえあれば、各画像データＤ等同士を区別することができる。
【０１１３】
また、これらの画像データＤ等を放射線画像撮影装置１からコンソールＣ（図１０参照）に送信し、コンソールＣ上で、画像データＤ等に基づいて生成した放射線画像と撮影オーダー情報とを対応付ける場合にも、画像データＤ等に付帯されている撮影部位情報に基づいて、当該患者に関する各撮影オーダー情報の中から放射線画像に対応付けるべき撮影オーダー情報を的確に割り出すことができ、放射線画像に撮影オーダー情報を的確に対応付けることが可能となる。
【０１１４】
そのため、このように同一の患者に対して複数の撮影部位の撮影を行う場合には、生成した画像データＤ等に付帯させる情報は撮影部位情報だけでよい。この場合、画像データＤ等に患者情報も付帯させてもよいが、必ずしも患者情報を付帯させる必要はない。
【０１１５】
そして、このような場合には、同一の患者に対して撮影部位を変えながら間をおかずに撮影が行われると考えられる。そのため、このような場合には、上記の実施形態（図７参照）のように撮影が終了するごとに（すなわち生成され情報が付帯された画像データＤ等を記憶手段２３に記憶するごとに）放射線画像撮影装置１の撮影モードを撮影不可モードに切り替えるよりも、寧ろ撮影モードを撮影可能モードのままとした方が次々と撮影を行うことが可能となるため好ましい。
【０１１６】
そこで、放射線画像撮影装置１の制御手段２２は、同一の患者に対して複数の撮影を行う旨の指示があった場合には、入力手段５２から情報が入力されて放射線画像撮影装置１の撮影モードを撮影不可モードから撮影可能モードに切り替えた後は、撮影モードを撮影可能モードから撮影不可モードに切り替えずに撮影可能モードのままとする。そして、それとともに、撮影可能モードである間に行われた撮影で画像データＤを生成したり真の画像データＤ＊を算出するごとに、画像データＤや真の画像データＤ＊に、画像データＤが生成される直前に入力手段５２から入力された撮影部位情報を付帯させて記憶手段２３に記憶させるように構成することが可能である。
【０１１７】
具体的には、放射線画像撮影装置１の制御手段２２は、同一の患者に対して複数の撮影を行う旨の指示があった場合には、最初に入力手段５２から撮影部位情報の入力があり、放射線画像撮影装置１の撮影モードを撮影不可モードから撮影可能モードに切り替えた後は、撮影モードを撮影可能モードのままとする。
【０１１８】
すなわち、画像データＤ等に撮影部位情報を付帯させて記憶手段２３に記憶させても撮影モードを撮影不可モードには戻さない。そして、その後は、入力手段５２からの撮影部位情報の入力と、撮影部位情報が付帯された画像データＤ等の記憶手段２３への記憶とを交互に繰り返すように構成される。
【０１１９】
このように構成すれば、同一の患者に対して複数の撮影部位の撮影を行う場合に、撮影部位を変えながら間をおかずに撮影を連続して行うことが可能となる。また、それとともに、画像データＤや真の画像データＤ＊に対してそれに対応する撮影部位情報を的確に対応付けて付帯させることが可能となり、画像データＤ等に付帯された撮影部位情報に基づいて、画像データＤ等に基づいて生成された放射線画像に撮影オーダー情報を的確に対応付けることが可能となる。
【０１２０】
なお、この場合、例えば、放射線画像撮影装置１に連続して行う撮影の回数を予め入力し、或いは最初に入力手段５２から撮影部位情報を入力する時点で入力するように構成し、放射線画像撮影装置１の制御手段２２は、入力された撮影の回数分の画像データＤや真の画像データＤ＊を生成して記憶手段２３に記憶させた時点で、上記の実施形態の状態に戻す（すなわち最後の画像データＤ等を記憶手段２３に記憶させた時点で放射線画像撮影装置１の撮影モードを撮影可能モードから撮影不可モードに切り替える）ように構成することも可能である。
【０１２１】
また、放射線画像撮影装置１の制御手段２２に、同一の患者に対して複数の撮影を行う旨の指示を伝達する方法としては、例えば、放射線技師等の操作者が放射線画像撮影装置１の切替スイッチ２６（図１参照）を所定の仕方で操作したり、或いはその旨が書き込まれたバーコードや２次元コードをバーコードリーダーやスマートフォン等の入力手段５２で読み取って放射線画像撮影装置１にその旨を表す信号を送信する等して伝達するように構成することが可能であり、任意の方法を採用することが可能である。
【０１２２】
さらに、上記の場合、放射線画像撮影装置１の撮影モードが撮影不可モードから撮影可能モードに切り替えられると撮影可能モードのままになるため、入力手段５２による撮影部位情報の入力がなくても、撮影部位を変えながら次々と撮影を行うことができるようになる。そのため、放射線技師等の操作者が、撮影部位情報の入力をし忘れたまま次々と撮影を行ってしまう可能性がある。
【０１２３】
そこで、上記のように、同一の患者に対して撮影を行う場合に撮影モードを撮影可能モードのままとする場合には、放射線画像撮影装置１の制御手段２２は、入力手段５２から撮影部位情報の入力がない状態で撮影が連続して行われた場合（すなわち入力手段５２から撮影部位情報の入力がない状態で画像データＤや真の画像データＤ＊を２回以上連続して生成したり算出したりした場合）は警告を発するように構成することが可能である。
【０１２４】
［変形例８］
一方、図６に示した放射線画像撮影システム５０を例えば小学校等に持ち込んで、集団検診で生徒らの胸部正面の画像を連続して撮影するような場合には、撮影部位は胸部正面だけであり、撮影対象である患者（すなわちこの場合は生徒ら）が変わるため、画像データＤや真の画像データＤ＊に付帯させる情報としては患者情報さえあれば、各画像データＤ等同士を区別することができる。
【０１２５】
そして、これらの画像データＤ等を放射線画像撮影装置１からコンソールＣ（図１０参照）に送信し、コンソールＣ上で、画像データＤ等に基づいて生成した放射線画像と撮影オーダー情報とを対応付ける場合にも、画像データＤ等に付帯されている患者情報に基づいて放射線画像に対応付けるべき撮影オーダー情報を的確に割り出すことができるため、放射線画像に撮影オーダー情報を的確に対応付けることが可能となる。
【０１２６】
そのため、このように同一の撮影部位を複数の異なる患者について撮影する場合のように、異なる患者に対して１回ずつ撮影を行う場合には、生成した画像データＤ等に付帯させる情報は患者情報だけでよい。この場合、画像データＤ等に撮影部位情報も付帯させてもよいが、必ずしも撮影部位情報を付帯させる必要はない。
【０１２７】
そして、このような場合には、複数の患者に対して次々と撮影が行われる場合が多いと考えられる。そのため、このような場合には、上記の実施形態のように撮影が終了するごとに（すなわち生成され情報が付帯された画像データＤ等を記憶手段２３に記憶するごとに）放射線画像撮影装置１の撮影モードを撮影不可モードに切り替えるよりも、寧ろ撮影モードを撮影可能モードのままとした方が次々と撮影を行うことが可能となるため好ましい。
【０１２８】
そこで、放射線画像撮影装置１の制御手段２２は、異なる患者に対して１回ずつ撮影を行う旨の指示があった場合には、入力手段５２から情報が入力されて放射線画像撮影装置１の撮影モードを撮影不可モードから撮影可能モードに切り替えた後は、撮影モードを撮影可能モードから撮影不可モードに切り替えずに撮影可能モードのままとする。そして、それとともに、撮影可能モードである間に行われた撮影で画像データＤを生成したり真の画像データＤ＊を算出するごとに、画像データＤや真の画像データＤ＊に、画像データＤが生成される直前に入力手段５２から入力された患者情報を付帯させて記憶手段２３に記憶させるように構成することが可能である。
【０１２９】
具体的には、放射線画像撮影装置１の制御手段２２は、異なる患者に対して１回ずつ撮影を行う旨の指示があった場合には、最初に入力手段５２から患者情報の入力があり、放射線画像撮影装置１の撮影モードを撮影不可モードから撮影可能モードに切り替えた後は、撮影モードを撮影可能モードのままとする。
【０１３０】
すなわち、画像データＤ等に患者情報を付帯させて記憶手段２３に記憶させても撮影モードを撮影不可モードには戻さない。そして、その後は、入力手段５２からの患者情報の入力と、患者情報が付帯された画像データＤ等の記憶手段２３への記憶とを交互に繰り返すように構成される。
【０１３１】
このように構成すれば、複数の患者に対して同一の撮影部位の撮影を行う場合のように異なる患者に対して１回ずつ撮影を行う場合に、患者を変えながら次々と撮影を連続して行うことが可能となる。また、それとともに、画像データＤや真の画像データＤ＊に対してそれに対応する患者情報を的確に対応付けて付帯させることが可能となり、画像データＤ等に付帯された患者情報に基づいて、画像データＤ等に基づいて生成された放射線画像に撮影オーダー情報を的確に対応付けることが可能となる。
【０１３２】
なお、この場合も、例えば、放射線画像撮影装置１に連続して行う撮影の回数を予め入力し、或いは最初に入力手段５２から撮影部位情報を入力する時点で入力するように構成し、放射線画像撮影装置１の制御手段２２は、入力された撮影の回数分の画像データＤや真の画像データＤ＊を生成して記憶手段２３に記憶させた時点で、上記の実施形態の状態に戻す（すなわち最後の画像データＤ等を記憶手段２３に記憶させた時点で放射線画像撮影装置１の撮影モードを撮影可能モードから撮影不可モードに切り替える）ように構成することも可能である。
【０１３３】
また、放射線画像撮影装置１の制御手段２２に、異なる患者に対して１回ずつ撮影を行う旨の指示を伝達する方法としては、例えば、上記の変形例７の場合と同様に、放射線技師等の操作者が放射線画像撮影装置１の切替スイッチ２６（図１参照）を所定の仕方で操作したり、或いはその旨が書き込まれたバーコードや２次元コードをバーコードリーダーやスマートフォン等の入力手段５２で読み取って放射線画像撮影装置１にその旨を表す信号を送信する等して伝達するように構成することが可能であり、任意の方法を採用することが可能である。
【０１３４】
さらに、この変形例８の場合も、放射線画像撮影装置１の撮影モードが撮影不可モードから撮影可能モードに切り替えられると撮影可能モードのままになるため、入力手段５２による患者情報の入力がなくても、患者を変えながら次々と撮影を行うことができるようになる。そのため、放射線技師等の操作者が、患者情報の入力をし忘れたまま次々と撮影を行ってしまう可能性がある。
【０１３５】
そこで、上記のように、異なる患者に対して１回ずつ撮影を行う場合に撮影モードを撮影可能モードのままとする場合には、放射線画像撮影装置１の制御手段２２は、入力手段５２から患者情報の入力がない状態で撮影が連続して行われた場合（すなわち入力手段５２から患者情報の入力がない状態で画像データＤや真の画像データＤ＊を２回以上連続して生成したり算出したりした場合）は警告を発するように構成することが可能である。なお、この変形例８は、例えば、災害現場で、身元照合のために、安置された複数の遺体の歯型を撮影するような場合にも適用することができる。
【０１３６】
［変形例９］
なお、上記の実施形態や変形例では、放射線画像撮影装置１が、コンソールによる制御を受けずに撮影を行う、いわゆる自立型の放射線画像撮影装置である場合について説明したが、例えば、放射線画像撮影装置１を、このようにコンソールによる制御を受けずに撮影を行うモード（すなわちいわゆる自立モード）と、コンソールによる制御の下で撮影を行うモードとの間で、モードを切り替えることができるように構成することも可能である。
【０１３７】
また、本発明が上記の実施形態や各変形例等に限定されず、本発明の趣旨を逸脱しない限り、適宜変更可能であることは言うまでもない。
【産業上の利用可能性】
【０１３８】
放射線画像撮影を行う分野（特に医療分野）において利用可能性がある。
【符号の説明】
【０１３９】
１  放射線画像撮影装置
７  放射線検出素子
２２  制御手段
２３  記憶手段
５０、６０  放射線画像撮影システム
５１  放射線照射装置
５２  入力手段
ＢＣ  バーコード
Ｃ  コンソール
Ｄ  画像データ
Ｄ＊  真の画像データ（画像データ）
ＩＲ  照射録
【図１】
2016208229.tif 000003
【図２】
2016208229.tif 000004
【図３】
2016208229.tif 000005
【図４】
2016208229.tif 000006
【図５】
2016208229.tif 000007
【図６】
2016208229.tif 000008
【図７】
2016208229.tif 000009
【図８】
2016208229.tif 000010
【図９】
2016208229.tif 000011
【図１０】
2016208229.tif 000012
【国際調査報告】
2016208229.tif 000013
2016208229.tif 000014
2016208229.tif 000015
2016208229.tif 000016